(57)【要約】【課題】格納部を小スペース化でき、コンパクトでかつカップを安定して保持できる格納式カップホルダーを提供する。【解決手段】格納式カップホルダー５はカップ挿入口７を有するカップホルダー本体１１とカップ９の底部側を支持する支持部１７と一対の脚部１９とを備える。脚部１９は上側ヒンジ部２１を介してカップホルダー本体１１に一体に連結される上側脚部１９ａと下側ヒンジ部２３を介して支持部１７に一体に連結される下側脚部１９ｂとが中間ヒンジ部２５を介して一体に連結されている。脚部１９は使用時には格納部３から引き出されて上側脚部１９ａ及び下側脚部１９ｂがヒンジ部２１，２３，２５を介して伸長して略一直線状になる一方、格納時には中間ヒンジ部２５がカップ挿入口中心に互いに接近し上側脚部１９ａ及び下側脚部１９ｂがヒンジ部２１，２３，２５を介して屈曲して折り畳まれる。【選択図】図３
2007314126.tif 000002
【特許請求の範囲】
【請求項１】
車両内装品の格納部に出し入れ可能に取り付けられた格納式カップホルダーであって、
カップ挿入口を有し該カップ挿入口に挿入されたカップを倒れないように保持するカップホルダー本体と、
使用状態で上記カップ挿入口の下方に対応位置しカップの底部側を支持する支持部と、  上端が上側ヒンジ部を介して上記カップホルダー本体に一体に連結され略上半部分を構成する上側脚部と、下端が下側ヒンジ部を介して上記支持部に一体に連結され略下半部分を構成する下側脚部とを中間ヒンジ部を介して一体に連結してなる複数個の脚部とを備え、
上記各脚部は、使用時には上記格納部から引き出されて上記上側脚部及び下側脚部が上記上側ヒンジ部、下側ヒンジ部及び中間ヒンジ部を介して伸長して略一直線状になる一方、格納時には上記中間ヒンジ部が上記カップ挿入口中心に互いに接近し上記上側脚部及び下側脚部が上記上側ヒンジ部、下側ヒンジ部及び中間ヒンジ部を介して屈曲して折り畳まれるように構成されていることを特徴とする格納式カップホルダー。
【請求項２】
請求項１に記載の格納式カップホルダーにおいて、
上記カップ挿入口は円形に形成され、
上記各脚部は、使用状態での全長寸法が上記カップ挿入口の内径より短く形成されていて、上記上側脚部及び下側脚部を折り畳んだ状態で少なくとも上側脚部は上記カップホルダー本体の上下幅内に収納されるように構成されていることを特徴とする格納式カップホルダー。
【請求項３】
請求項１又は２に記載の格納式カップホルダーにおいて、
上記カップホルダー本体、支持部及び各脚部は共に樹脂製であり、上記上側ヒンジ部、下側ヒンジ部及び中間ヒンジ部は、それぞれカップホルダー本体と上側脚部とを連結する連結部、上側脚部と下側脚部とを連結する連結部、下側脚部と支持部とを連結する連結部に形成された薄肉ヒンジであることを特徴とする格納式カップホルダー。
【請求項４】
請求項３に記載の格納式カップホルダーにおいて、
上記脚部、支持部及びヒンジ部は一体に成形され、これらと上記カップホルダー本体とは個別に成形されて一体に接合されていることを特徴とする格納式カップホルダー。
【発明の詳細な説明】
【技術分野】
【０００１】
この発明は、格納式カップホルダーの改良に関するものである。
【背景技術】
【０００２】
車両内装品の格納部に出し入れ可能に取り付けられた格納式カップホルダーとして、特許文献１には、円形のカップ挿入口を有するカップホルダー本体と、該カップホルダー本体に両端が支軸で上下方向に回動自在に取り付けられた略Ｕ字状の支持部材とからなるカップホルダーが開示されている。このカップホルダーは、使用状態では上記支持部材がカップホルダー本体に対して略垂直に配置され、挿入口に挿入されたカップをカップホルダー本体で倒れないように保持しているとともにカップの底部及び側部を支持部材で支持するようにしている。一方、カップホルダーを使用状態から格納状態にするには、上記支持部材を支軸回りに回動させてカップホルダー本体に略平行に配置し、該カップホルダー本体の上下幅内に支持部材を収納して支持部材がカップホルダー本体から側方にはみ出さないようにしている。
【特許文献１】特開平３−１６７０３７号公報（第４頁、第４図）
【発明の開示】
【発明が解決しようとする課題】
【０００３】
ところで、上記特許文献１においては、カップホルダーでカップを安定して保持するためには、支持部材の側部側垂直支持部を長くして、使用時にカップホルダー本体と支持部材の底部側水平支持部との間隔を十分に確保する必要がある。特に、高さの高いカップをカップホルダーに挿入する場合、このような確保が要求される。しかし、車両内のレイアウトの関係上、カップホルダーを格納する格納部のスペースを車両内装品に十分に確保できない場合には、カップホルダー本体を小さくしなければならず、格納時に支持部材がカップホルダー本体から側方にはみ出さないように側部側垂直支持部を短くすると、使用時にカップホルダー本体と支持部材の底部側水平支持部との間隔が自ずと狭くなり、カップを安定して保持することができなくなる。さりとて、カップを安定して保持するために支持部材の側部側垂直支持部を長くすると、格納時に支持部材がカップホルダー本体のカップ挿入口から側方に大きくはみ出すため、カップホルダー本体が大きくなり、これにより格納部のスペースも自ずと大きくなって小スペース化を図ることができない。
【０００４】
この発明はかかる点に鑑みてなされたものであり、その目的とするところは、格納部を小スペース化できるとともに、コンパクトでかつカップを安定して保持できる格納式カップホルダーを提供することである。
【課題を解決するための手段】
【０００５】
上記の目的を達成するため、この発明は、ヒンジ部による折り畳み方式を採用したことを特徴とする。
【０００６】
具体的には、この発明は、車両内装品の格納部に出し入れ可能に取り付けられた格納式カップホルダーを対象とし、次のような解決手段を講じた。
【０００７】
すなわち、請求項１に記載の発明は、カップ挿入口を有し該カップ挿入口に挿入されたカップを倒れないように保持するカップホルダー本体と、使用状態で上記カップ挿入口の下方に対応位置しカップの底部側を支持する支持部と、上端が上側ヒンジ部を介して上記カップホルダー本体に一体に連結され略上半部分を構成する上側脚部と、下端が下側ヒンジ部を介して上記支持部に一体に連結され略下半部分を構成する下側脚部とを中間ヒンジ部を介して一体に連結してなる複数個の脚部とを備え、上記各脚部は、使用時には上記格納部から引き出されて上記上側脚部及び下側脚部が上記上側ヒンジ部、下側ヒンジ部及び中間ヒンジ部を介して伸長して略一直線状になる一方、格納時には上記中間ヒンジ部が上記カップ挿入口中心に互いに接近し上記上側脚部及び下側脚部が上記上側ヒンジ部、下側ヒンジ部及び中間ヒンジ部を介して屈曲して折り畳まれるように構成されていることを特徴とする。
【０００８】
請求項２に記載の発明は、請求項１に記載の発明において、上記カップ挿入口は円形に形成され、上記各脚部は、使用状態での全長寸法が上記カップ挿入口の内径より短く形成されていて、上記上側脚部及び下側脚部を折り畳んだ状態で少なくとも上側脚部は上記カップホルダー本体の上下幅内に収納されるように構成されていることを特徴とする。
【０００９】
請求項３に記載の発明は、請求項１又は２に記載の発明において、上記カップホルダー本体、支持部及び各脚部は共に樹脂製であり、上記上側ヒンジ部、下側ヒンジ部及び中間ヒンジ部は、それぞれカップホルダー本体と上側脚部とを連結する連結部、上側脚部と下側脚部とを連結する連結部、下側脚部と支持部とを連結する連結部に形成された薄肉ヒンジであることを特徴とする。
【００１０】
請求項４に記載の発明は、請求項３に記載の発明において、請求項３に記載の格納式カップホルダーにおいて、上記脚部、支持部及びヒンジ部は一体に成形され、これらと上記カップホルダー本体とは個別に成形されて一体に接合されていることを特徴とする。
【発明の効果】
【００１１】
請求項１に係る発明によれば、各脚部は上側脚部及び下側脚部を中間ヒンジ部を介して伸長させると略一直線状になるので、使用時にはカップホルダー本体と支持部との間隔を長く確保することができる。すなわち、カップを保持するスペースを深く確保することができ、カップを安定して保持することができる。
【００１２】
また、上側脚部及び下側脚部は、上側ヒンジ部、下側ヒンジ部及び中間ヒンジ部を介してカップホルダー本体のカップ挿入口で各脚部が折り畳まれて略半分の長さになっているので、各脚部はカップホルダー本体から側方にはみ出さず、カップホルダーをコンパクトにすることができるとともに、脚部のはみ出し分のスペースを確保する必要がなく格納部の小スペース化を図ることができる。
【００１３】
請求項２に係る発明によれば、各脚部は、使用状態での全長寸法が上記カップ挿入口の内径より短く形成されているので、上側脚部及び下側脚部を折り畳んだ状態で各脚部同士が互いに干渉しないようにカップ挿入口に収納されるとともに、少なくとも上側脚部がカップホルダー本体の上下幅内に収納され、カップホルダーのコンパクト化を十分に図ることができる。
【００１４】
請求項３に係る発明によれば、上側ヒンジ部、下側ヒンジ部及び中間ヒンジ部が各脚部に一体に成形された薄肉ヒンジであり、これらヒンジ部は脚部の成形の際に同時に成形できるので、別途用意したヒンジを用いる場合に比べて部品点数及び組付工数が低減でき、安価で簡素な構造のカップホルダーを提供することができる。
【００１５】
請求項４に係る発明によれば、各脚部、各ヒンジ部及び支持部をスライド型を用いることなく固定型及び可動型だけの簡素な型構造で成形することができ、これを別途成形されたカップホルダー本体と一体に接合するだけでよく、設備費を抑えたカップホルダーを得ることができる。
【発明を実施するための最良の形態】
【００１６】
以下、この発明の実施形態について図面に基づいて説明する。
【００１７】
（実施形態）
図１は車両内装品としてのインストルメントパネル１を車室内側から見た斜視図である。該インストルメントパネル１の車幅方向略中央部には、車室内側に開口した断面横長矩形状の格納部３が形成され、該格納部３は、図７に示すように、平面視略半円形状をしていてこの発明の実施形態に係る格納式カップホルダー５が格納部３に出し入れ可能に取り付けられている。
【００１８】
上記カップホルダー５は、図２に示すように、円形のカップ挿入口７を有する円環状のカップホルダー本体１１と、カップ９の底部を支持し上記カップ挿入口７より直径が小さい円形板状の支持部１７と、上記カップホルダー本体１１と支持部１７とを連結し、上記カップ挿入口７の直径方向に対向するように配設された板状の一対の脚部１９とからなり、これらカップホルダー本体１１、支持部１７及び各脚部１９は共に樹脂製である。
【００１９】
上記カップホルダー本体１１の上端内周縁には、図３に示すように、上記脚部１９を溶着するためのフランジ部１１ａが全周に亘って一体に内側に向けて突設されているとともに、上記カップホルダー本体１１の上端外側には、図２に示すように、上下方向に貫通する取付孔１５を有する取付部１３が張出して形成されている。一方、上記格納部３の開口側左端には、図７及び８に示すように、上方に開口する有底の挿入穴２７ａを有するボス２７が一体に突設され、内周面に雌ねじが形成された筒状のスリーブ３０が上側半分を突出させた状態で上記挿入穴２７ａに回転不能かつ取外し不能に圧入されている。そして、スリーブ３０の突出した上側半分に取付部１３の取付孔１５を嵌合させて、該取付部１３を回転可能に取付け、上記スリーブ３０の雌ねじにボルト３１を螺合させて、上記カップホルダー５が上記格納部３に、図７の実線に示す使用状態と仮想線で示す格納状態とに、上記ボルト３１回りに水平に回動自在に取り付けられている。なお、２９は、ボルト３１の頭部と取付部１３との間に介在されたワッシャーで、カップホルダー本体１１がスリーブ３０周りに水平に安定して回動できるように設けたものである。さらに、上記カップホルダー本体１１の取付部１３から約９０度周方向に離れた位置には、カップホルダー５を格納部３からの引き出し及び格納部３への格納の際のノブ１６が一体に突設され、上記カップホルダー５が格納部３に格納された状態では、上記ノブ１６は格納部３の開口側に位置している（図７仮想線参照）。
【００２０】
上記脚部１９は、図４にも示すように、該脚部１９の略上半部分を構成する上側脚部１９ａと略下半部分を構成する下側脚部１９ｂとが中間ヒンジ部２５を介して一体に連結され、上側脚部１９ａの上端には上側ヒンジ部２１が、下側脚部１９ｂの下端には下側ヒンジ部２３がそれぞれ一体に形成されている。さらに、上記上側脚部１９ａの上端外側には、図３及び図５に示すように、上記脚部１９を上記カップホルダー本体１１に溶着するための接合片部１９ｃが上記上側ヒンジ部２１を介して一体に連結されている。上記接合片部１９ｃは上記カップホルダー本体１１のフランジ部１１ａ裏面に高周波溶着、振動溶着等により溶着して上側脚部１９ａの上端が上側ヒンジ部２１及び接合片部１９ｃを介して上記カップホルダー本体１１に一体に連結されているとともに、下側脚部１９ｂの下端は下側ヒンジ部２３を介して上記支持部１７の外周縁部に一体に成形して連結されている。上記各脚部１９は、カップホルダー５の使用状態での全長（伸長）寸法が上記カップ挿入口７の内径より短く形成されている。
【００２１】
また、上記上側ヒンジ部２１は、カップホルダー本体１１と上側脚部１９ａとを連結する連結部に形成され外側が凹設されて薄肉に形成された薄肉ヒンジであり、下側ヒンジ部２３は下側脚部１９ｂと支持部１７とを連結する連結部に形成され外側が凹設されて薄肉に形成された薄肉ヒンジであり、中間ヒンジ部２５は、上側脚部１９ａと下側脚部１９ｂとを連結する連結部に形成され内側が凹設されて薄肉に形成された薄肉ヒンジである。これにより、一対の上記脚部１９は、格納時には上記中間ヒンジ部２５が上記カップ挿入口中心側に互いに接近し上記上側脚部１９ａ及び下側脚部１９ｂが上記上側ヒンジ部２１、下側ヒンジ部２３及び中間ヒンジ部２５を介して屈曲して折り畳まれるように構成されている。
【００２２】
したがって、上側ヒンジ部２１、下側ヒンジ部２３及び中間ヒンジ部２５が各脚部１９に一体に成形された薄肉ヒンジであるので、別途用意したヒンジを用いる場合に比べて部品点数及び組付工数が低減でき、安価で簡素な構造のカップホルダー５を提供することができる。
【００２３】
上記支持部１７、各脚部１９、接合片部１９ｃ及びヒンジ部２１，２３，２５の成形は、図２に示す直立状の一対の脚部１９の平面部を支持部１７の平面部に連続するように略水平に展開し、上記平面部をパーティング面とする固定型及び可動型からなる成形型（図示せず）を用いて一体に成形される。この場合、中間ヒンジ部２５は固定型及び可動型のいずれか一方の型の成形面で、上記上側ヒンジ部２１及び下側ヒンジ部２３は他方の型の成形面で薄肉ヒンジに成形する。そして、これを別途成形されたカップホルダー本体１１と一体に接合してカップホルダー５が構成される。
【００２４】
このように、スライド型を用いることなく、固定型及び可動型だけの簡素な型構造で支持部１７、各脚部１９、接合片部１９ｃ及びヒンジ部２１，２３，２５を一体に成形することができ、これを別途成形されたカップホルダー本体１１と一体に接合するだけでよく、設備費を抑えたカップホルダー５を得ることができる。因みに、脚部１９、ヒンジ部２１，２３，２５、支持部１７、カップホルダー本体１１を一体に成形する場合には、カップ挿入口７及びヒンジ部２１，２３，２５を形成するために固定型及び可動型と交差する方向に移動させるスライド型が必要となり、型構造が極めて複雑で設備費が嵩む。
【００２５】
上記各脚部１９は、使用時には上記格納部３から引き出されて上記上側脚部１９ａ及び下側脚部１９ｂが上記上側ヒンジ部２１、下側ヒンジ部２３及び中間ヒンジ部２５を介して伸長して略一直線状になる。この状態で、上記支持部１７がカップ挿入口７の真下に位置するとともに、カップホルダー本体１１で上記カップ挿入口７に挿入されたカップ９を倒れないように保持するようにしている。一方、格納時には上記中間ヒンジ部２５が上記カップ挿入口中心に互いに接近し上記上側脚部１９ａ及び下側脚部１９ｂが上記上側ヒンジ部２１、下側ヒンジ部２３及び中間ヒンジ部２５を介して屈曲して折り畳まれて、上側脚部１９ａ、下側脚部１９ｂ及び支持部１７がカップホルダー本体１１のカップ挿入口７内に重合状態で格納される。
【００２６】
このように、各脚部１９は、使用状態での全長寸法が上記カップ挿入口７の内径より短く形成されているので、上側脚部１９ａ及び下側脚部１９ｂを折り畳んだ状態で各脚部１９同士が互いに干渉しないようにカップ挿入口７内、すなわち、カップホルダー本体１１の上下幅内に収納され、カップホルダー５のコンパクト化を十分に図ることができる。
【００２７】
上記のように構成されたカップホルダー５は、使用時には、図７の仮想線に示す格納状態から、ノブ１６を持って格納部３から上記スリーブ３０を中心として時計回りに水平にカップホルダー５を回動させて手前に引き出す。次に、図６に示すように、格納状態のカップホルダー５の上記支持部１７を上から押さえて図４及び図５に示すように上記脚部１９をくの字状に伸長させて、さらに、上記支持部１７がカップホルダー本体１１から離れるように下方に引き下げて、上記上側脚部１９ａ及び下側脚部１９ｂを上記上側ヒンジ部２１、下側ヒンジ部２３及び中間ヒンジ部２５を介して伸長させて、すなわち、図２及び図３に示すように、略一直線状にするとともに、上記支持部１７をカップ挿入口７の真下に位置させる。
【００２８】
したがって、各脚部１９は上側脚部１９ａ及び下側脚部１９ｂをヒンジ部２１，２３，２５を介して伸長させると略一直線状になるので、使用時にはカップホルダー本体１１と支持部１７との間隔を長く確保することができる。すなわち、高さの高いカップ９を保持するスペースを深く確保することができ、カップ９を安定して保持することができる。
【００２９】
一方、図２及び図３に示す使用状態から、格納状態にするには、まず、図４及び図５に示すように、上記各中間ヒンジ部２５を外側から上記カップ挿入口中心に向けて押さえて脚部１９をヒンジ部２１，２３，２５で、上記脚部１９をくの字状に屈曲させて上記各中間ヒンジ部２５をカップ挿入口中心に接近させる。そうすると、上記支持部１７が若干上方に移動する。次に、上記支持部１７を下方から押し上げてカップホルダー本体１１に近付くようにさらに上方に移動させて、図３の仮想線及び図６に示すように、上記脚部１９が上記上側ヒンジ部２１、下側ヒンジ部２３及び中間ヒンジ部２５を介して折り畳まれ、この状態で、脚部１９同士は干渉せず微小な間隔をあけて上記カップ挿入口７に略一直線状になって支持部１７とともに収納され、同時に、カップホルダー本体１１の上下幅内にも上記支持部１７、上側脚部１９ａ及び下側脚部１９ｂが収納されている。上記のように脚部１９及び支持部１７が収納されたカップホルダー５を、上記スリーブ３０回りに水平に回動させて、図７に仮想線で示すように、上記格納部３に全体を押し入れて格納する。
【００３０】
したがって、上側脚部１９ａ及び下側脚部１９ｂは、上側ヒンジ部２１、下側ヒンジ部２３及び中間ヒンジ部２５を介してカップホルダー本体１１のカップ挿入口７で各脚部１９が折り畳まれて略半分の長さになっているので、各脚部１９はカップホルダー本体１１から側方にはみ出さず、カップホルダー５をコンパクトにすることができるとともに、脚部１９のはみ出し分のスペースを確保する必要がなく格納部３の小スペース化を図ることができる。
【００３１】
なお、本実施形態では、車両内装品がインストルメントパネル１である場合を例示したが、コンソールやドアトリムであってもよく、これらに限定されない。
【００３２】
また、本実施形態では、カップホルダー本体１１は、スリーブ３０回りに回動するようにしたが、この回動構造はスリーブ３０に限定されるものではなく、また回動構造とせずカップホルダー本体１１を前後方向に直線的にスライドさせて引き出し及び格納するようにしてもよい。
【００３３】
また、本実施形態では、支持部１７を円形板状にしたが、カップ９の底部を支持できる形状であれば、例えば、矩形状、棒状や網状であってもよく、これらに限定されない。
【００３４】
また、脚部１９の接合片部１９ｃは、カップホルダー本体１１のフランジ部１１ａの下面に接合することなくカップホルダー本体１１の内周面に接合することもできる。この場合、フランジ部１１ａは形成しなくてもよい。
【００３５】
また、本実施形態では、フランジ部１１ａはカップホルダー本体１１の全周に形成したが、脚部１９の接合片部１９ｃに対応する部分及びカップ９がぐらつかないように他の周縁部に間欠的に形成してもよい。
【００３６】
加えて、本実施形態では、上側脚部１９ａ及び下側脚部１９ｂが折り畳たまれることによってカップホルダー本体１１の上下幅内に上側脚部１９ａ、下側脚部１９ｂ及び支持部１７が収納されるようにしたが、カップホルダー本体１１の上下幅内に上側脚部１９ａのみが完全に収納され、下側脚部１９ｂの一部と支持部１７は収納されないようにしてもよく、また上側脚部１９ａ及び下側脚部１９ｂが完全に収納され、支持部１７は収納されないようにしてもよい。
【００３７】
さらに、本実施形態では、支持部１７に一体に成形された脚部１９をカップホルダー本体１１と接合する方法として互いを溶着させたが、例えば、接着剤、ボルト等で接合してもよい。
【産業上の利用可能性】
【００３８】
この発明は、格納式カップホルダーについて有用である。
【図面の簡単な説明】
【００３９】
【図１】この発明の実施形態に係るカップホルダーが格納される格納部を備えた車両のインストルメントパネルを車室内側から見た斜視図である。
【図２】この発明の実施形態に係るカップホルダーの使用状態を示す斜視図である。
【図３】図２のII−II線における断面図であり、仮想線で脚部がカップホルダー本体に収納された状態を示す。
【図４】図２のカップホルダーの脚部が中途位置に屈曲された状態を示す斜視図である。
【図５】図４の図３相当図である。
【図６】カップホルダーの脚部が図４の状態からさらに折り畳まれて脚部及び支持部がカップホルダー本体に収納された状態を示す斜視図である。
【図７】カップホルダーを図１の格納部に出し入れする状態を示す平面図である。
【図８】格納部におけるカップホルダーの取付部分の拡大断面図である。
【符号の説明】
【００４０】
１      インストルメントパネル（車両内装品）
３      格納部
５      カップホルダー
７      カップ挿入口
９      カップ
１１      カップホルダー本体
１７      支持部
１９      脚部
１９ａ    上側脚部
１９ｂ    下側脚部
２１      上側ヒンジ部
２３      下側ヒンジ部
２５      中間ヒンジ部
【図１】
2007314126.tif 000003
【図２】
2007314126.tif 000004
【図３】
2007314126.tif 000005
【図４】
2007314126.tif 000006
【図５】
2007314126.tif 000007
【図６】
2007314126.tif 000008
【図７】
2007314126.tif 000009
【図８】
2007314126.tif 000010